(57)【要約】  【課題】組立て作業が容易で取り扱い性に優れ高強度を発揮する包装箱用支持体、一体に形成され取り扱い性に優れる包装箱用ブランク、および、該包装箱用支持体を備える、包装作業が容易で被包装物を安全かつ確実に保持できる高強度の包装箱の提供。  【解決手段】弾性シートが張り渡された開口を有する水平支持板と、その各辺から略垂直に立ち下がる垂直支持部とを備える支持体であって、対向する少なくとも一組の前記垂直支持部の各々が、それぞれの側壁に係合部を有する二枚の垂直支持板を備え、該係合部を係合させて二重構造とされる垂直支持部である包装箱用支持体、該包装箱用支持体を容易に作製できる一体に形成されるブランク、および、該包装箱用支持体とを対向させて各支持体に張り渡された弾性シートの間に被包装物を挟んで保持する包装箱。【選択図】図９
2005132392.tif 000002
【特許請求の範囲】
【請求項１】
弾性シートが張り渡された開口を有する水平支持板と、
その各辺から略垂直または前記開口部側に立ち下がる垂直支持部とを備える支持体であって、
対向する少なくとも一組の前記垂直支持部の各々が、
それぞれの側壁に係合部を有する二枚の垂直支持板を備え、該係合部を係合させて二重構造とされる垂直支持部である包装箱用支持体。
【請求項２】
前記側壁に係合部を有する二枚の垂直支持板が、
側壁に係合突起を有する一方の垂直支持板と、
側鎖に該係合突起と係合するスリットを有する他方の垂直支持板とからなる二枚の垂直支持板である請求項１に記載の包装箱用支持体。
【請求項３】
前記側壁に係合部を有する二枚の垂直支持板が、
側鎖に、該二枚の垂直支持板からなる一組の垂直支持部に隣接される別の垂直支持部の各々に有する係合突起またはスリットと係合するスリットまたは係合突起を有する二枚の垂直支持板である請求項１に記載の包装箱用支持体。
【請求項４】
前記水平支持板および垂直支持部が、厚紙、段ボール紙、プラスチックシート、発泡プラスチックシート、気泡ボードおよびプラスチック段ボールからなる群より選択される材料で形成され、
前記弾性シートがポリウレタン系熱可塑性エラストマー、ポリアミド、エチレン−酢酸ビニル共重合体、シングルサイト触媒重合ポリオレフィン、ポリブチレンサクシネートおよびポリブチレンサクシネート・アジペートからなる群より選択される材料で形成される請求項１〜３のいずれかに記載の包装箱用支持体。
【請求項５】
厚紙、段ボール紙、プラスチックシート、発泡プラスチックシート、気泡ボードおよびプラスチック段ボールからなる群より選択される材料を打ち抜いて一体に形成されるブランクであって、
開口（１１Ａ）を有する水平支持板（１１）と、
該水平支持板（１１）の対向する少なくとも一組の縁の各々に、水平支持板（１１）と対称に連なって延在し、二重構造の垂直支持部（２）を形成する、係合突起またはスリット（３２，３４）を有する外側垂直支持板（２１，２２）と、
前記外側垂直支持板（２１，２２）に、水平支持板（１１）と対称にさらに連なって延在し、二重構造の垂直支持部（２）を形成する、前記係合突起と係合するスリットまたは前記スリット（３２，３４）と係合する係合突起（３１，３３）を有する内側垂直支持板（２５，２６）と、
前記水平支持板（１１）の別の対向する一組の縁の各々に、水平支持板（１１）と対称に連なって延在し、垂直支持部（５）を形成する垂直支持板（５１，５２）とを備えるブランク。
【請求項６】
厚紙、段ボール紙、プラスチックシート、発泡プラスチックシート、気泡ボードおよびプラスチック段ボールからなる群より選択される材料を打ち抜いて一体に形成されるブランクであって、
開口（１１Ａ）を有する水平支持板（１１）と、
該水平支持板（１１）の対向する少なくとも一組の縁の各々に、水平支持板（１１）と対称に連なって延在し、二重構造の垂直支持部（２）を形成する、係合突起またはスリット（３２，３４）を有する、外側垂直支持板（２１，２２）およびそれに連なる内側垂直支持板（２５，２６）と、
前記水平支持板（１１）の前記一組の縁の各々の両端部に連続する別の対向する一組の縁の各々に、水平支持板（１１）と対称に連なって延在し、垂直支持部（５）を形成する、前記係合突起と係合するスリットまたは前記スリット（３２，３４）と係合する係合突起（５５，５６）を有する垂直支持板（５１，５２）とを備えるブランク。
【請求項７】
請求項６に記載のブランクにおいて、
水平支持板（１１）の前記一組の縁の各々の両端部に連続する別の対向する一組の縁の各々に、水平支持板（１１）と対称に連なって延在し、二重構造の垂直支持部（５）を形成する、前記係合突起と係合するスリットまたは前記スリット（３２，３４）と係合する係合突起（６５，６６）を有する、外側垂直支持板（６１，６２）およびそれに連なる内側垂直支持板（６３，６４）とを備えるブランク。
【請求項８】
前記開口（１１Ａ）に膜状または網状の弾性シート（１１Ｂ）が張り渡された請求項５〜７のいずれかに記載のブランク。
【請求項９】
請求項８に記載のブランクを組立てて構成される請求項１〜４のいずれかに記載の包装箱用支持体。
【請求項１０】
外箱と、その内部にあって被包装物を外箱の壁から離して支持する上下一対の支持手段とを備え、該支持手段を構成する二つの支持体を対向させて各支持体に張り渡された弾性シート二枚の間に被包装物を挟んで保持する包装箱であって、
前記支持手段を構成する支持体の少なくとも一つが、請求項１〜４および９のいずれかに記載の包装箱用支持体である包装箱。
【発明の詳細な説明】
【技術分野】
【０００１】
本発明は、包装箱用支持体、ブランクおよび包装箱に関し、特に、組立て作業が容易で高強度の包装箱用支持体、それを組立てられる一体に形成されたブランク、および、該包装箱用支持体を備え、包装作業が容易で被包装物を安全かつ確実に保持できる包装箱に関する。
【背景技術】
【０００２】
陶器、ガラス製品、電気・電子機器、精密機械部品そのほか衝撃に弱い物品を輸送・保管するための包装は、従来、バラ状の充填材またはそれを小袋に詰めたものを充填して行われ、または発泡ポリスチロールを成形した箱を用いて行われているが、バラ状の充填材等の中に隠れて製品の所在がわからなくなるという問題、また、箱に成形された発泡プラスチックの廃棄処理が環境上好ましくないという問題がある。
【０００３】
このため、包装材の使用量を少なくする技術や廃棄・焼却を容易にする技術の開発が行われている。そのひとつとして、いわゆる「ハンモック包装」が提案され、一部実用化されている。「ハンモック包装」とは、板状の枠に弾性を持った材料のシート（以下、「弾性シート」という。）を張った一対の支持体で被包装物を上下から挟んで全体を箱の中に入れ、被包装物を箱内の空間に、箱の壁から離した状態で保持する包装形態である（例えば、特許文献１〜４参照）。
【０００４】
このようなハンモック包装に用いられる支持体には２種類がある。
そのひとつは、いわゆる組立て式支持体、すなわち、図１４Ａに示す形状のブランクの中央に位置する、開口をもった板（以下、「水平支持板」という。）の開口部に弾性シートを張って、水平支持板の四辺の部分（以下、「垂直支持板」という。）を折り曲げて、図１４Ｂに示すように構成した支持体である（例えば、特許文献１〜３参照）。
もうひとつは、いわゆる箱式支持体、すなわち、図１５Ａに示す形状のブランクに弾性シートを張って、垂直支持板を折り曲げ、糊代に接着剤（またはステプラー）を適用して図１５Ｂに示すように箱形に組み立てた支持体である。
【０００５】
しかし、これらの支持体には、以下の欠点がある。
組立て式支持体は、垂直支持板を折り曲げられて構成されているため、それらのいずれも、その位置が定まらず、上下の支持体の間に被包装物を挟んで外箱に入れるときに、ひどく手間がかかって包装作業の効率が悪い。また、垂直支持板の位置が定まらないため、支持体の強度ひいては包装箱の強度も低下し、その結果、被包装物を安全かつ確実に保持できない。
【０００６】
一方、箱式支持体は、この問題点が若干改善されているが、箱式支持体に組立てると嵩高なものとなり未使用時の容積を小さくしたいという要望に反する。未使用時から嵩高であることは、いうまでもなく流通および保管時等の取り扱い性に欠けるとともにコスト高の要因ともなる。対して支持体を図１５Ａのブランクの状態にしておくと、取り扱い性は優れるものの包装時の組立て作業の効率が悪くなる。
【０００７】
したがって、これらの問題点を有する支持体を備える包装箱も、同様の問題点を有し、これらの改善が望まれていた。
【０００８】
【特許文献１】米国特許第４，８５２，７４３号明細書
【特許文献２】米国特許第４，９２３，０６５号明細書
【特許文献３】米国特許第５，０７１，００９号明細書
【特許文献４】特開平７−３３００３４号公報
【発明の開示】
【発明が解決しようとする課題】
【０００９】
本発明は、このような従来技術の有する課題に鑑みてなされたものであり、その目的とするところは、組立て作業が容易で取り扱い性に優れ高強度を発揮する包装箱用支持体を提供するものである。
また、本発明は、一体に形成され取り扱い性に優れる包装箱用ブランクを提供するものである。
さらに、本発明は、上記包装箱用ブランクから得られる上記包装箱用支持体を備える、包装作業が容易で被包装物を安全かつ確実に保持できる高強度の包装箱を提供するものである。
【課題を解決するための手段】
【００１０】
本発明の包装箱用支持体は、弾性シートが張り渡された開口を有する水平支持板と、その各辺から略垂直または前記開口部側（鋭角）に立ち下がる垂直支持部とを備える支持体であって、該垂直支持部に特徴の一つを有する。
つまり、本発明の垂直支持部は、対向する少なくとも一組の垂直支持部の各々が、それぞれの側壁に係合部を有する二枚の垂直支持板を備え、該係合部を係合させて二重構造とされる垂直支持部である。
この包装箱用支持体の一例として、例えば、図１および図５を組み立てて作製される図２および図６に示される支持体が挙げられる。
【００１１】
対向する少なくとも一組の垂直支持部の各々が、それぞれ二重構造とされることにより、該支持体の垂直方向の強度が格段に向上する。特に、二重構造を保持する係合部が垂直支持板のそれぞれの側壁に設けられると、該係合部を設けることに起因する強度の低下を抑えることが可能になる。例えば、水平支持板と垂直支持板との縁に係合部、特に、スリットを設けると該縁にかかる負荷に対する十分な耐性を確保できない。また、水平支持板にスリットを設けると該水平支持板自体の強度が低下し、スリット等の形状等によっては十分な耐性を確保できないこともある。これに対して、本発明のように垂直支持板の側壁に係合部を設けると、該垂直支持板にかかる負荷を分散させられ縁にかかる負荷に対しても十分な耐性を確保できる。その結果、被包装物の質量、保管中または輸送中の振動または衝撃等により、支持体が変形または破損するのを防止でき、この支持体を包装箱に用いると、被包装物を安全かつ確実に保持できる高強度の包装箱となる。
【００１２】
また、上記のように、対向する少なくとも一組の垂直支持部を側壁に係合部を有する二枚の垂直支持板の係合部を係合させて二重構造とすると、該垂直支持部の二枚の垂直支持板の位置が固定され、外箱に入れるときの作業性が向上する。
【００１３】
本発明の包装箱用支持体において、対向する少なくとも一組の垂直支持部を二重構造とすれば十分な強度を発揮するが、より強い強度が必要である場合には、二組以上の垂直支持部を二重構造としてもよく、包装箱用支持体の強度、組立て作業性等を考慮して決定できる。また、対向する少なくとも一組の垂直支持部を二重以上の構造としてもよい。
【００１４】
本発明の包装箱用支持体において、垂直支持部の二重構造を維持する係合部の構造、構成、位置（縁を除く）等は特に限定されず、要求される強度、組立て作業性等に応じて、任意の構造、構成、位置（縁を除く）等を選択できる。例えば、後述する第１態様および第２態様の包装箱用支持体において、係合部を係合突起とスリットの組合せにしたが、二重構造を維持できればこれの組合せに限定されず、また、これらを任意に組合わせて複数の係合部を設けてもよく、その位置も側壁の中央部でも端部近傍でもよい。
【００１５】
本発明の包装箱用支持体において、対向する二つの垂直支持部はそれぞれ、水平支持板から略垂直または該水平支持板の垂直方向よりも開口部側（対向する垂直支持部の間隔が立ち下がる方向に向かって暫時近接する状態）に立ち下がればよく、その角度は限定されない。例えば、後述する第１態様の包装箱用支持体では略垂直であるのが好ましく、後述する第２態様の包装箱用支持体では垂直方向よりも開口部側であるのが好ましい。
【００１６】
また、二重構造とされる垂直支持部の長手方向に垂直な断面の形状は、特に限定されず、要求される強度、被包装時の作業性等に応じて、適宜選択できる。具体的には、例えば、二枚の垂直支持板を密着させた形状、逆三角形（Ｖ字形）、正方形、長方形、Ｕ字形等の内部に空間を有する形状が挙げられる。強度により優れる点で内部に空間を有する形状が好ましい。
【００１７】
本発明の包装箱用支持体において、その形状（水平支持板の形状）は特に限定されず、被包装物の形態、種類等に応じて、適宜選択できる。具体的には、例えば、正方形、長方形、その他の多角形等が挙げられる。水平支持板に設けられる開口の形状は、特に限定されず、例えば、隅丸の長方形、正方形、三角形、多角形、円形、楕円形等の対称形、あるいは、被包装物の形状に応じて、半円形、Ｌ字形等の任意の非対称形が挙げられる。
【００１８】
本発明の包装箱用支持体において、水平支持板および垂直支持部の材料は、特に限定されないが、厚紙、段ボール紙、プラスチックシート、発泡プラスチックシート、気泡ボードおよびプラスチック段ボールからなる群より選択される材料で形成されるのが、廃棄処分やリサイクルが容易である点で好ましく、ボードの方向性がない点で気泡ボードであるのが特に好ましい。
ここで、プラスチック段ボールとしては、特に限定されないが、例えば、ポリプロピレン（ＰＰ）を主原料とするプラスチック段ボールであるのが好ましい。気泡ボードは、合成樹脂中空板ともいい、ポリプロピレン（ＰＰ）、高密度ポリエチレン（ＰＥ）等のオレフィン系重合体を主原料とする凹凸シートの両面に平坦シートを接合してなるボードであれば、特に限定されず、例えば、川上産業（株）製のプラパール（登録商標）等が挙げられる。
【００１９】
弾性シートの材料は、特に限定されないが、ポリウレタン系熱可塑性エラストマー、ポリアミド、エチレン−酢酸ビニル共重合体、シングルサイト触媒重合ポリオレフィン、ポリブチレンサクシネートおよびポリブチレンサクシネート・アジペートから選択される材料で形成するのが廃棄処分やリサイクルが容易である点で好ましい。
弾性シートの材料は、その他に、天然ゴム、各種ゴムまたは各種合成ゴム、ポリエチレン、塩素化ポリエチレン、あるいはフッ素樹脂等も使用できる。
【００２０】
弾性シートの形態は、一般に平坦なシートが使用されるが特に限定されず、例えば、シート、フィルム等の膜状、ネット等の網状であるのが好ましい。その他に、例えば、エンボス成形シートを使用することもできる。エンボス成形シートを用いると、被包装物の形状に対する追従が容易になり、緩衝保持能力を高めることができる。
なお、エンボス成形シートとは、プラスチックフィルムにエンボス加工を施して多数の突起を形成したもの、またはこの突起を有するプラスチックフィルムの一方または両方の面に平坦なプラスチックフィルムを貼り合わせたものである。
【００２１】
本発明の好ましい包装箱用支持体を以下に説明するが、便宜上、第１態様の包装箱用支持体および第２態様の包装箱用支持体とする。
【００２２】
第１態様の包装箱用支持体は、上記した本発明の包装箱用支持体において、
上記側壁に係合部を有する二枚の垂直支持板が、側壁に係合突起を有する一方の垂直支持板と、側鎖に該係合突起と係合するスリットを有する他方の垂直支持板とからなる二枚の垂直支持板であることを特徴とする。
つまり、第１態様の包装箱用支持体は、弾性シートが張り渡された開口を有する水平支持板と、その各辺から略垂直または開口部側に立ち下がる垂直支持部とを備える支持体であって、
対向する少なくとも一組の垂直支持部の各々が、側壁に係合突起を有する一方の垂直支持板と、側鎖に該係合突起と係合するスリットを有する他方の垂直支持板とからなる二枚の垂直支持板を備え、該係合部（係合突起とスリット）を係合させて二重構造とされる垂直支持部である包装箱用支持体である。
この包装箱用支持体の一例として、例えば、図１および図３を組み立てて作製される図２および図４に示される支持体が挙げられる。
【００２３】
第１態様の包装箱用支持体は、一組の垂直支持部の各々がそれ自身単独で二重構造を維持する態様である。
この包装箱用支持体において、係合突起およびスリットは、一つの垂直支持板に複数設けてもよく双方を設けてもよい。好ましくは、略中央部に係合部を一つ有する垂直支持板であり、または端部近傍に係合部を一つずつ有する垂直支持板である。
【００２４】
二重構造とされる対向する垂直支持部の各々には、二つの垂直支持板を連結する水平板をそれぞれ設けるのが、外箱に収納されたときに底面板および上面板に接触する面積が大きくなり、より強度が向上するため好ましい。
また、二重構造とされる対向する垂直支持部の各々には、内側垂直支持板に連なって水平支持板に接触しうる水平補強板をそれぞれ設けるのが、被包装物の質量による水平支持板（包装用支持体）の変形を抑えることができ、より強度が向上するため好ましい。
【００２５】
また、上記二重構造を維持していない垂直支持板の上縁および下縁に連なって保持板を縦方向に延在して有するのが、垂直支持部の略垂直等に立ち下がる状態を保持でき、二重構造をより強固に維持できる点で好ましい。なお、この保持板を上記二重構造を維持する二枚の垂直支持板で挟持する構造とすれば、係合部として機能させることもできる。
【００２６】
第２態様の包装箱用支持体は、上記した本発明の包装箱用支持体において、
上記側壁に係合部を有する二枚の垂直支持板が、側鎖に、該二枚の垂直支持板からなる一組の垂直支持部に隣接される別の垂直支持部の各々に有する係合突起またはスリットと係合する、（略同一の）スリットまたは係合突起を有する二枚の垂直支持板であるであることを特徴とする。
つまり、第２態様の包装箱用支持体は、弾性シートが張り渡された開口を有する水平支持板と、その各辺から略垂直または開口部側に立ち下がる垂直支持部とを備える支持体であって、
対向する少なくとも一組の垂直支持部の各々が、側鎖に、該一組の垂直支持部に隣接される別の垂直支持部の各々に有する係合突起またはスリットと係合する、（略同一の）スリットまたは係合突起を有する二枚の垂直支持板を備え、該係合部を係合させて二重構造とされる垂直支持部である包装箱用支持体である。
この包装箱用支持体の一例として、例えば、図５および図７を組み立てて作製される図６および図８に示される支持体が挙げられる。
【００２７】
第２態様の包装箱用支持体は、一組の垂直支持部の各々が、それに隣接される別の垂直支持部の各々とともに二重構造を維持する態様である。
この包装箱用支持体において、係合突起およびスリットは、二重構造を形成する一方の垂直支持体（好ましくは内側垂直支持体）に設けてもよいが、両垂直支持板に（二重構造としたときに）略同一（合同）となるように設けるのが係合させやすく、また係合力も強くなるため好ましい。
また、係合突起およびスリットは、垂直支持部に複数設けてもよく双方を設けてもよい。好ましくは、垂直支持部の両端部近傍に係合部を一つずつ有する垂直支持板である。これにより、一つの垂直支持部がそれに隣接する二つの垂直支持部と係合して一体的に固定され、支持体自体の強度がより向上するため好ましい。
【００２８】
二重構造とされる対向する垂直支持部の長手方向の断面は、略逆三角形であるのが、係合部を形成しやすく、また係合させやすい点で好ましい。
【００２９】
また、第２態様の包装箱用支持体において、対向する少なくとも一組の垂直支持部に隣接される別の垂直支持部は、１重構造であってもよいが、２重構造とするのが、これらの垂直支持部がより強固に一体的に固定されるため好ましい。
【００３０】
本発明の包装箱用支持体は、上記した第１態様の包装箱用支持体と第２態様の包装箱用支持体との特徴部分（変更部分）を組合わせてもよい。例えば、第１態様の包装箱用支持体において、二重構造とされる対向する垂直支持部がそれに隣接される別の垂直支持部とともに該二重構造をより強固に維持する構造としてもよい。
【００３１】
なお、本発明の包装箱用支持体（水平支持板）の形状は、上記したように特に限定されないが、四角形以外の形状にする場合は、二重構造とされる垂直支持部を交互に有するのが強度の点で好ましい。
【００３２】
上記した各包装箱用支持体は、以下に説明するブランクを組立てて構成される包装箱用支持体であるのが好ましい。
【００３３】
本発明のブランクは、一体に形成され上記本発明の包装箱用支持体を容易に組立てられるブランクであれば特に限定されないが、以下のブランクであるのが好ましい。
なお、以下に説明する本発明のブランクはその形状（水平支持板の形状）を四角形としたものであるが、これに限定されるものではない。
【００３４】
ブランク（Ｉ）は、厚紙、段ボール紙、プラスチックシート、発泡プラスチックシート、気泡ボードおよびプラスチック段ボールからなる群より選択される材料を打ち抜いて一体に形成されるブランクであって、（ｉ）開口（１１Ａ）を有する水平支持板（１１）と、（ｉｉ）該水平支持板（１１）の対向する少なくとも一組の縁の各々に、水平支持板（１１）と対称に連なって延在し、二重構造の垂直支持部（２）を形成する、係合突起またはスリット（３２，３４）を有する外側垂直支持板（２１，２２）と、（ｉｉｉ）前記外側垂直支持板（２１，２２）に、水平支持板（１１）と対称にさらに連なって延在し、二重構造の垂直支持部（２）を形成する、前記係合突起と係合するスリットまたは前記スリット（３２，３４）と係合する係合突起（３１，３３）を有する内側垂直支持板（２５，２６）と、（ｉｖ）前記水平支持板（１１）の別の対向する一組の縁の各々に、水平支持板（１１）と対称に連なって延在する、垂直支持部（５）を形成する垂直支持板（５１，５２）とを備えるブランクである。
【００３５】
該ブランクは、二重構造とされる対向する垂直支持部（２）の長手方向の強度が強い包装箱用支持体を作製できる。
【００３６】
該ブランクにおいて、係合突起（３１，３３）およびスリット（３２，３４）は、垂直支持板（２５，２６および２１，２２）の長手方向に略平行に設けられても、長手方向に対して所定の角度をもって設けられてもよい。
【００３７】
該ブランクにおいて、二重構造とされる対向する垂直支持部（２）の各々には、二重構造の垂直支持部（２）の底面（接触面）を形成し、二つの垂直支持板（２１と２５および２２と２６）を連結する水平板（２３，２４）を、二つの垂直支持板の間にそれぞれ設けるのが好ましい。
また、二重構造とされる対向する垂直支持部（２）の各々には、内側垂直支持板（２５，２６）に連なって水平支持板（１１）に接触しうる水平補強板（２７，２８）を水平支持板（１１）と対称にそれぞれ設けるのが好ましい。
【００３８】
さらに、垂直支持板（５１，５２）の上縁および下縁に連なって保持板（５３，５４）が縦方向に延在されるのが、垂直支持部の略垂直等に立ち下がる状態を保持でき、二重構造をより強固に維持できる点で好ましい。なお、この保持板（５３，５４）を二枚の垂直支持板で挟持する構造とすれば、上記した係合部としても機能し二重構造をより強固に維持できる。
【００３９】
係合突起（３１，３３）は、該係合突起（３１，３３）と逆方向に切込みが入れられ、該係合突起（３１，３３）の中にさらに係止片（３５，３６）を形成されるのが、係合部の係合が解除されにくくなる点で好ましい。この係止片（３５，３６）は、係合突起（３１，３３）をスリット（３２，３４）に挿入し折り曲げて係合させると、折り曲げられた係合突起（３１，３３）の先端部と逆方向に伸びてスリット（３２，３４）から係合突起（３１，３３）が解除されるのを防止できる。
【００４０】
上記したブランク（Ｉ）の変形部分（特徴部分）は、１種単独でも２種以上を任意に組合わせてもよい。
【００４１】
ブランク（ＩＩ）は、厚紙、段ボール紙、プラスチックシート、発泡プラスチックシート、気泡ボードおよびプラスチック段ボールからなる群より選択される材料を打ち抜いて一体に形成されるブランクであって、（ｉ）開口（１１Ａ）を有する水平支持板（１１）と、（ｉｉ）該水平支持板（１１）の対向する少なくとも一組の縁の各々に、水平支持板（１１）と対称に連なって延在し、二重構造の垂直支持部（２）を形成する、係合突起またはスリット（３２，３４）を有する、外側垂直支持板（２１，２２）およびそれに連なる内側垂直支持板（２５，２６）と、（ｉｉｉ）前記水平支持板（１１）の前記一組の縁の各々の両端部に連続する別の対向する一組の縁の各々に、水平支持板（１１）と対称に連なって延在し、垂直支持部（５）を形成する、前記係合突起と係合するスリットまたは前記スリット（３２，３４）と係合する係合突起（５５，５６）を有する垂直支持板（５１，５２）とを備えるブランクである。
【００４２】
該ブランクは、垂直支持部（２）がそれに隣接する垂直支持部（５）と係合して固定されるため、垂直支持部が一体となって固定され強度がより強い包装箱用支持体を作製できる。
【００４３】
該ブランクにおいて、スリット（３２，３４）は、垂直支持板（２１，２２および２５，２６）の長手方向に略垂直に設けられてもよいが、長手方向に対して所定の角度をもって設けられるのが、垂直支持部（２，５）が井桁状に一体的に固定され包装箱用支持体としたときの強度がさらに強くなるため好ましい。また、スリット（３２，３４）は、二枚の垂直支持板（２１と２５および２２と２６）に連続して設けられてもよいし、不連続（別個独立）に設けられてもよい。組立て作業性（係合容易性）に優れる点で連続して設けられるのが好ましい。また、それぞれのスリット（３２，３４）は、内側垂直支持板（２５，２６）と外側垂直支持板（２１，２２）の縁に対称に設けられるのが係合させやすく係合力も強くなるため好ましい。
該スリット（３２，３４）に係合する係合突起（５５，５６）は、スリット（３２，３４）の形状、位置等に応じて決定すればよい。
【００４４】
ブランク（ＩＩ）において、水平支持板（１１）の上記一組の縁の各々の両端部に連続する別の対向する一組の縁の各々に、水平支持板（１１）と対称に連なって延在し、二重構造の垂直支持部（５）を形成する、上記係合突起と係合するスリットまたは上記スリット（３２，３４）と係合する係合突起（６５，６６）を有する、外側垂直支持板（６１，６２）およびそれに連なる内側垂直支持板（６３，６４）とを備えるのが、別の対向する一組の垂直支持部（５）も二重構造となり支持体としたときの強度がさらに向上する点で好ましい。
【００４５】
つまり、該ブランク（ＩＩ）は、厚紙、段ボール紙、プラスチックシート、発泡プラスチックシート、気泡ボードおよびプラスチック段ボールからなる群より選択される材料を打ち抜いて一体に形成されるブランクであって、（ｉ）開口（１１Ａ）を有する水平支持板（１１）と、（ｉｉ）該水平支持板（１１）の対向する少なくとも一組の縁の各々に、水平支持板（１１）と対称に連なって延在し、二重構造の垂直支持部（２）を形成する、係合突起またはスリット（３２，３４）を有する、外側垂直支持板（２１，２２）およびそれに連なる内側垂直支持板（２５，２６）と、（ｉｉｉ）上記水平支持板（１１）の上記一組の縁の各々の両端部に連続する別の対向する一組の縁の各々に、水平支持板（１１）と対称に連なって延在し、二重構造の垂直支持部（５）を形成する、上記係合突起と係合するスリットまたは上記スリット（３２，３４）と係合する係合突起（６５，６６）を有する、外側垂直支持板（６１，６２）およびそれに連なる内側垂直支持板（６３，６４）とを備えるブランクである。
このとき、垂直支持部（５）の各々に有するスリットまたは係合突起（６５，６６）は、外側垂直支持板（６１，６２）と内側垂直支持板（６３，６４）の縁に対称に連接して設けられても、不連続（別個独立）に設けられてもよい。このスリットまたは係合突起（６５，６６）は、外側垂直支持板（６１，６２）および内側垂直支持板（６３，６４）のいずれか一方のみに設けてもよい。
【００４６】
上記したブランク（ＩＩ）の変形部分（特徴部分）は、１種単独でも２種以上を任意に組合わせてもよい。
【００４７】
なお、上記ブランク（ＩＩ）において、二重構造の垂直支持部（２）は別の垂直支持部（５）と一体にとなって固定されるので、所望の強度を確保できる場合には、垂直支持部（２）を１重構造としてもよい。
【００４８】
上記したブランク（Ｉ）およびブランク（ＩＩ）の変形部分（特徴部分）は、ブランクの態様にかかわらず２種以上を任意に組合わせてもよい。
【００４９】
本発明においては、上記ブランクの開口（１１Ａ）に膜状または網状の弾性シート（１１Ｂ）が張り渡されて、本発明の包装箱用支持体を組立てられるブランクとされる。
【００５０】
本発明の包装箱は、外箱と、その内部にあって被包装物を外箱の壁から離して支持する上下一対の支持手段とを備え、該支持手段を構成する二つの支持体を対向させて各支持体に張り渡された弾性シート二枚の間に被包装物を挟んで保持する包装箱であって、上記支持手段を構成する支持体の少なくとも一つが上記した包装箱用ブランクから得られる上記包装箱用支持体である包装箱であるのが好ましい。
この包装箱の一例として、例えば、図９および図１０に示される包装箱等が挙げられる。
【００５１】
本発明の包装箱においては、用いられる一対の支持手段は、同一の包装箱用支持体を用いても、異なる包装箱用支持体を任意に組合わせて用いてもよい。
また、支持手段を上下一対の支持手段とするのが好ましいが、本発明の効果を相する限り、これに限定されることなく、例えば、左右一対の支持手段としてもよい。
【００５２】
外箱の形状は特に限定されず、被包装物の形態、種類等に応じて、適宜選択できる。具体的には、例えば、正方形、長方形、その他の多角形等が挙げられる。外箱の材質は、上記した水平支持板等と同様であるのが好ましい。また、外箱は、両支持体を収納できる箱であるのが好ましいが、これに限定されず、例えば、スリーブ、バンド等の結束具等の両支持体を把持できるものであればよい。
【００５３】
本発明の包装箱に包装される被包装物は、特に限定されず、本発明の効果を有効に利用するためには、ある程度の質量を持つものが好ましい。
【発明の効果】
【００５４】
本発明の包装箱用支持体は、組立て作業が容易で取り扱い性に優れ高強度を発揮する包装箱用支持体である。
第１態様の包装箱用支持体は、上記本発明の包装箱用支持体が持つ効果を備え、さらに、二重構造とされる対向する垂直支持部の長手方向の強度が特に強く、外箱に収納したときに外箱の内面との接触面積が大きくなり、被包装物をより安全かつより確実に保持できるという効果を有する。また、該支持体の材質が強度の弱いものであっても強度の強い支持体を作製できる。
第２態様の包装箱用支持体は、上記本発明の包装箱用支持体が持つ効果を備え、さらに、垂直支持部がそれに隣接する垂直支持部と係合して一体に固定されるため、包装箱用支持体自体の強度がより向上し、被包装物をより安全かつより確実に保持できるという効果を有する。また、該支持体の垂直支持部は開口部側に立ち下がるため、外箱の側面との間に空隙が形成され、該空隙に小物（被包装物の付属品）等を収納できる上、外箱への出し入れが容易である。さらに、弾性シートにＥＶＡを用いても、高さのある被包装物を容易に収納できる。
【００５５】
本発明のブランクは、板紙等のシート状材料から容易に一体形成されるため、廃棄処分やリサイクルが容易である。また、本発明のブランクは、接着剤やステープルを使用しないで組立てられるため組立て作業が容易であり、また包装直前までシート材料を打ち抜いて製造したブランクシートのままでおくことができるため、未使用時の容積も小さくすることができ、包装材料の輸送・保管にスペースをとらず、取り扱い性にも優れる。
【００５６】
本発明の包装箱は、本発明の包装箱用支持体を備えるため、包装作業が容易であって、被包装物を安全かつ確実に保持できる高強度の包装箱である。
第１態様および第２態様の包装箱用支持体を用いる包装箱は、上記包装箱用支持体で説明したのと同様の効果を有する。
【発明を実施するための最良の形態】
【００５７】
本発明の包装箱用支持体を図面を参照して具体的に説明する。
本発明の包装箱用支持体は、上記した水平支持板と上記した本発明の垂直支持部とを備える支持体であれば、その作製方法等は特に限定されないが、後述する本発明のブランクを組立てて作製するのが一体に形成され組立て作業が容易である点で好ましい。
以下、本発明のブランクおよびこれを組立てて作製される本発明の包装箱用支持体について説明する。
【００５８】
まず、一組の垂直支持部の各々がそれ自身単独で二重構造を維持する第１態様の包装箱用支持体を容易に作製できるブランクについて説明する。
図１に示す形状のブランク（Ｉ）を、厚紙、段ボール紙、プラスチックシート、発泡プラスチックシート、気泡ボードおよびプラスチック段ボールからなる群より選択される材料の一体的な打ち抜きによって用意する。
該ブランクは、（ｉ）開口（１１Ａ）を有する水平支持板（１１）と、（ｉｉ）該水平支持板（１１）の対向する一方の一組の縁の各々に、水平支持板（１１）と対称に連なって延在し、二重構造の垂直支持部（２）を形成する、長手方向に沿って略中央にスリット（３２，３４）を有する外側垂直支持板（２１，２２）と、（ｉｉｉ）上記外側垂直支持板（２１，２２）に、水平支持板（１１）と対称にさらに連なって延在し、二重構造の垂直支持部（２）を形成する、上記スリット（３２，３４）と係合する半円状の係合突起（３１，３３）を長手方向に沿って略中央の上記スリット（３２，３４）に対応する位置に有する内側垂直支持板（２５，２６）と、（ｉｖ）上記水平支持板（１１）の対向する他方の一組の縁の各々に、水平支持板（１１）と対称に連なって延在し、垂直支持部（５）を形成する垂直支持板（５１，５２）とを備えるブランクである。
【００５９】
この形状に打ち抜いたブランク（Ｉ）には、上方支持体（１）の開口（１１Ａ）に、適宜の接着剤を用いるか、またはヒートシール等により、弾性シート（１１Ｂ）を張りわたす。
【００６０】
これを、水平支持板（１１）と、外側垂直支持板（２１，２２）との、垂直支持板（５１，５２）との縁をそれぞれ折り曲げ、これらの垂直支持板（２１，２２および５１，５２）を水平支持板（１１）から略垂直に立ち下げる。次に、外側垂直支持板（２１，２２）と内側垂直支持板（２５，２６）との縁を対向する外側垂直支持板の方向（支持体（１）の内側）に折り曲げながら、内側垂直支持板（２５，２６）に有する係合突起（３１，３３）を外側垂直支持板（２１，２２）に有するスリット（３２，３４）に差し込んで、二重構造の垂直支持部（２）を形成する。続いて、外側垂直支持板（２１，２２）に有するスリット（３２，３４）から突出した係合突起（３１，３３）を、上記支持体（１）の下方または上方に折り曲げて係合させると、内側垂直支持板（２５，２６）と外側垂直支持板（２１，２２）が密着した二重構造の垂直支持部（２）を備える図２に示す本発明の包装箱用支持体を作製できる。
【００６１】
このようにして形成される包装箱用支持体は、二重構造の垂直支持部（２）を備えるため、組立て作業が容易で取り扱い性に優れ高強度を発揮できる。
【００６２】
図３に示す形状のブランクは、上記ブランク（Ｉ）の好ましい態様である。
該ブランクを同様に厚紙、段ボール紙、プラスチックシート、発泡プラスチックシート、気泡ボードおよびプラスチック段ボールからなる群より選択される材料の一体的な打ち抜きによって用意する。
該ブランクは、（ｉ）開口（１１Ａ）を有する水平支持板（１１）と、（ｉｉ）該水平支持板（１１）の対向する一方の一組の縁の各々に、水平支持板（１１）と対称に連なって延在し、二重構造の垂直支持部（２）を形成する、長手方向に沿って略中央にスリット（３２，３４）を有する外側垂直支持板（２１，２２）と、（ｖ）上記外側垂直支持板（２１，２２）に、水平支持板（１１）と対称にさらに連なって延在し、二重構造の垂直支持部（２）の底面（接触面）を形成し、上記外側垂直支持板（２１，２２）と内側垂直支持板（２５，２６）を連結する水平板（２３，２４）と、（ｉｉｉ）上記水平板（２３，２４）に、水平支持板（１１）と対称にさらに連なって延在し、二重構造の垂直支持部（２）を形成する、上記スリット（３２，３４）と係合し切込みによりその中にさらに係止片（３５，３６）が形成される係合突起（３１，３３）を長手方向に沿って略中央の上記スリット（３２，３４）に対応する位置に有する内側垂直支持板（２５，２６）と、（ｖｉ）内側垂直支持板（２５，２６）に、水平支持板（１１）と対称にさらに連なって延在し、組立てたときに上記水平支持板（１１）に接触しうる水平補強板（２７，２８）と、（ｉｖ）上記水平支持板（１１）の対向する他方の一組の縁の各々に、水平支持板（１１）と対称に連なって延在し、垂直支持部（５）を形成する垂直支持板（５１，５２）と、（ｖｉｉ）上記垂直支持板（５１，５２）の上縁および下縁に連なって縦方向に延在する保持板（５３，５４）とを備えるブランクである。
【００６３】
この形状に打ち抜いたブランクには、上記ブランク（Ｉ）と同様にして弾性シート（１１Ｂ）を張りわたす。
これを上記ブランク（Ｉ）と基本的に同様にして組立てるが以下に簡単に説明する。
外側垂直支持板（２１，２２）を折り曲げて立ち下げた後、折り曲げられた垂直支持板（５１，５２）に延在する保持板（５３，５４）をそれぞれ対向する方向（支持体（１）の内側）に折り曲げて外側垂直支持板（２１，２２）の内側に配置させる。引き続き、水平板（２３，２４）を支持体（１）の内側に折り曲げて、さらに、水平補強板（２７，２８）を支持体（１）の内側に折り曲げた後、内側垂直支持板（２５，２６）を支持体（１）の内側に（開口部側）に折り曲げながら、係合部を係合させる。係合は、スリット（３２，３４）から突出した係合突起（３１，３３）を、上記支持体（１）の下方または上方に折り曲げると、係止片（３５，３６）は折り曲げられることなく、折り曲げられた係合突起（３１，３３）の先端部と逆方向に伸びることにより行われる。
このようにして作製される図４に示す本発明の包装箱用支持体は、垂直支持部（２）の長手方向の断面が長方形の二重構造の垂直支持部（２）を備える。
【００６４】
図４に示す第１態様の包装箱用支持体は、上記した効果を有する。また、垂直支持部の略垂直等に立ち下がる状態を保持できる上、係合部の解除を効果的に防止できる。
【００６５】
次に、一組の垂直支持部の各々が、それに隣接される別の垂直支持部の各々とともに二重構造を維持する第２態様の包装箱用支持体を容易に作製できるブランクについて説明する。
図５に示す形状のブランク（ＩＩ）を、厚紙、段ボール紙、プラスチックシート、発泡プラスチックシート、気泡ボードおよびプラスチック段ボールからなる群より選択される材料の一体的な打ち抜きによって用意する。
該ブランクは、（ｉ）開口（１１Ａ）を有する水平支持板（１１）と、（ｉｉ）該水平支持板（１１）の対向する一方の一組の縁の各々に、水平支持板（１１）と対称に連なって延在し、二重構造の垂直支持部（２）を形成する、外側垂直支持板（２１，２２）と内側垂直支持板（２５，２６）の縁に対称に連続するスリット（３２，３４）を有する、外側垂直支持板（２１，２２）およびそれに連なる内側垂直支持板（２５，２６）と、（ｉｉｉ）水平支持板（１１）の上記一方の一組の縁の各々の両端部に連続する対向する他方の一組の縁の各々に、水平支持板（１１）と対称に連なって延在し、垂直支持部（５）を形成する、上記スリット（３２，３４）と係合する係合突起（５５，５６）を両端部の上記スリット（３２，３４）に対応する位置に有する垂直支持板（５１，５２）とを備えるブランクである。
【００６６】
この形状に打ち抜いたブランクには、上記ブランク（Ｉ）と同様にして弾性シート（１１Ｂ）を張りわたす。
これを、水平支持板（１１）と、外側垂直支持板（２１，２２）との、垂直支持板（５１，５２）との縁をそれぞれ折り曲げ、これらの垂直支持板（２１，２２および５１，５２）を水平支持板（１１）から略垂直に立ち下げる。次に、外側垂直支持板（２１，２２）と内側垂直支持板（２５，２６）との縁を対向する外側垂直支持板（２１，２２）の方向（支持体（１）の内側）に折り曲げて、二重構造の垂直支持部（２）を形成する。ついで、垂直支持部（２）のスリット（３２，３４）に、垂直支持板（５１，５２）に有する係合突起（５５，５６）を係合させると、垂直支持部（２）の長手方向の断面が略逆三角形の二重構造の垂直支持部（２）を備える図６に示す本発明の包装箱用支持体を作製できる。
【００６７】
このようにして形成される包装箱用支持体は、二重構造の垂直支持部（２）を備えるため、組立て作業が容易で取り扱い性に優れ高強度を発揮できる。また、垂直支持部がそれに隣接する垂直支持部と係合して一体的に固定されるため、包装箱用支持体自体の強度がより向上する。
【００６８】
図７に示す形状のブランクは、上記ブランク（ＩＩ）の好ましい態様である。
該ブランクを同様に厚紙、段ボール紙、プラスチックシート、発泡プラスチックシート、気泡ボードおよびプラスチック段ボールからなる群より選択される材料の一体的な打ち抜きによって用意する。
該ブランクは、（ｉ）開口（１１Ａ）を有する水平支持板（１１）と、（ｉｉ）該水平支持板（１１）の対向する一方の一組の縁の各々に、水平支持板（１１）と対称に連なって延在し、二重構造の垂直支持部（２）を形成する、外側垂直支持板（２１，２２）と内側垂直支持板（２５，２６）の縁に対称に連続するスリット（３２，３４）を有する、外側垂直支持板（２１，２２）およびそれに連なる内側垂直支持板（２５，２６）と、（ｉｖ）水平支持板（１１）の上記一方の一組の縁の各々の両端部に連続する対向する他方の一組の縁の各々に、水平支持板（１１）と対称に連なって延在し、二重構造の垂直支持部（５）を形成する、上記スリット（３２，３４）と係合する係合突起（６５，６６）を両端部の上記スリット（３２，３４）に対応する位置に有する、外側垂直支持板（６１，６２）およびそれに連なる内側垂直支持板（６３，６４）とを備えるブランクである。
【００６９】
この形状に打ち抜いたブランクには、上記ブランク（Ｉ）と同様にして弾性シート（１１Ｂ）を張りわたす。
これを上記ブランク（ＩＩ）と基本的に同様にして組立てるが以下に簡単に説明する。
上記ブランク（ＩＩ）と同様にして、垂直支持板（２１，２２および６１，６２）を水平支持板（１１）から略垂直に立ち下げる。外側垂直支持板（６１，６２）と内側垂直支持板（６３，６４）の縁を折り曲げ、二重構造の垂直支持部（５）を形成する。次に、上記ブランク（ＩＩ）と同様にして、二重構造の垂直支持部（２）を形成し、係合部を係合させて、第２態様の好ましい包装箱用支持体を作製できる。
このようにして作製される図８に示す本発明の包装箱用支持体は、垂直支持部（２，５）の長手方向の断面が共に略逆三角形の二重構造の垂直支持部（２，５）を備える。
【００７０】
このようにして形成される第２態様の包装箱用支持体は上記した効果を有する。また、上記二重構造の垂直支持部（２）に隣接する別の対向する一組の垂直支持部（５）も二重構造となり、垂直支持部がより強固に一体化されて強度がさらに向上する。
【００７１】
本発明の包装箱について説明する。
本発明の包装箱は、外箱（１００）と、その内部にあって被包装物（９０）を外箱の壁から離して支持する上下一対の支持手段とを備え、該支持手段を構成する二つの支持体を対向させて各支持体に張り渡された弾性シート（１１Ｂ）二枚の間に被包装物（９０）を挟んで保持する包装箱であって、上記支持手段を構成する支持体の少なくとも一つが上記した本発明の包装箱用ブランクから得られる上記した本発明の包装箱用支持体である包装箱である。
この包装箱の一例として、例えば、図９および図１０に示される包装箱等が挙げられる。
【００７２】
本発明の包装箱を図９および図１０を参照して説明すれば、外箱（１００）に、上方支持体（１Ｂ）および下方支持体（１Ａ）として上記本発明の包装箱用支持体を組合わせる構成である。
被包装物（９０）を両支持体（１Ａ，１Ｂ）の間に挟んで外箱（１００）の中に入れれば包装体が完成する。包装体作製の一例として、例えば、外箱（１００）の底面の上に下方支持体（１Ａ）を入れた後、該支持体（１Ａ）の弾性シート（１１Ｂ）の中央に被包装物（９０）を載置すると共にこの被包装物（９０）の上に上方支持体（１Ｂ）を、弾性シート（１１Ｂ）が下側となる状態で入れて該弾性シート（１１Ｂ）中央を被包装物（９０）の上面に圧接させる。次いで外箱（１００）の蓋を閉止すると、被包装物（９０）を両支持体（１Ａ，１Ｂ）の弾性シート（１１Ｂ）により上下両側から挟んで保持する状態になり、包装箱の作製が完成する。
【００７３】
本発明の包装箱は、本発明の包装箱用支持体を備えるため、包装作業が容易で被包装物を安全かつ確実に保持できる高強度を実現できる。
【００７４】
ここで、本発明の包装箱に用いられる本発明の包装箱用支持体は、特に限定されず、いずれの包装箱用支持体を用いてもよい。例えば、上下一対の支持体として、図９では同一の包装箱用支持体（第１態様の包装箱用支持体）を、図１０では同一の包装箱用支持体（第２態様の包装箱用支持体）を用いているが、上下一対の支持体として異なる包装箱用支持体、例えば、第１態様の包装箱用支持体と第２態様の包装箱用支持体、第１態様の包装箱用支持体と第１態様の好ましい包装箱用支持体等を任意に組合わせて用いてもよい。
第２態様の包装箱用支持体、第１態様の包装箱用支持体を用いると、これらの支持体が有する特徴を備える本発明の包装箱が得られ、用途、被包装物に応じて包装箱用支持体を適宜選択できる。
【実施例】
【００７５】
＜実施例１＞
図３に示した形状のブランク二枚をＢフルートの両面段ボール紙から打ち抜いて、以下に示す大きさに作製した。
水平支持体（１１）：縦３４ｃｍ×横３９．５ｃｍ
開口（１１Ａ）：縦２８ｃｍ×横３３．５ｃｍ
外側垂直支持板（２１，２２）および内側垂直支持板（２５，２６）：縦７．５ｃｍ×横３９．５ｃｍ
水平板（２３，２４）および水平補強板（２７，２８）：縦３ｃｍ×横３９．５ｃｍ
スリット（３２，３４）：幅０．５ｃｍ×（横方向の）長さ１２ｃｍ
係合突起（３１，３３）：縦６．５ｃｍ×横１２ｃｍ
係止片（３５，３６）：縦１．５ｃｍ×横６ｃｍ
垂直支持板（５１，５２）：縦３３ｃｍ×横７．５ｃｍ
保持板（５３，５４）：縦１４ｃｍ×横６．７ｃｍ
なお、ブランクの大きさを表す「縦」は水平支持体（１１）と垂直支持部（５）との縁の長手方向をいい、「横」は水平支持体（１１）と垂直支持部（２）との縁の長手方向をいう（以下、同じ。）。
【００７６】
このブランクの開口部（１１Ａ）に厚さ５０μｍのエチレン−酢酸ビニル共重合体フィルムをアクリル樹脂エマルジョンの粘着剤を使用して貼り着けた。
これを、上記した組立て方法にしたがい図４に示す形状の包装箱用支持体を二体作製した。
【００７７】
＜実施例２＞
図７に示した形状のブランク二枚をＢフルートの両面段ボール紙から打ち抜いて、以下に示す大きさに作製した。
水平支持体（１１）：縦３４ｃｍ×横３９．５ｃｍ
開口（１１Ａ）：縦２８ｃｍ×横３３．５ｃｍ
外側垂直支持板（２１，２２）および内側垂直支持板（２５，２６）：縦８．２ｃｍ×横３９．５ｃｍ
スリット（３２，３４）：幅１ｃｍ×（縦方向の）長さ５．１ｃｍ
外側垂直支持板（６１，６２）および内側垂直支持板（６３，６４）：縦２９．７ｃｍ×横８．１ｃｍ
係合突起（６５，６６）：上記スリット（３２，３４）に適合するように縦約１ｃｍ×横約３ｃｍに切込みを入れてこの部分を切除した。
【００７８】
このブランクの開口部（１１Ａ）に厚さ５０μｍのエチレン−酢酸ビニル共重合体フィルムをアクリル樹脂エマルジョンの粘着剤を使用して貼り着けた。
これを、上記した組立て方法にしたがい図８に示す形状の包装箱用支持体を二体作製した。
【００７９】
＜比較例１＞
図１１に示した形状のブランク二枚をＡフルートの両面段ボール紙から打ち抜いて、以下に示す大きさに作製した。
水平支持体（１１）：縦３４ｃｍ×横３９．５ｃｍ
開口（１１Ａ）：縦２８ｃｍ×横３３．５ｃｍ
外側垂直支持板（２１，２２）および内側垂直支持板（２５，２６）：縦３２ｃｍ×横７．５ｃｍ
スリット（３２，３４）：幅１ｃｍ×長さ５ｃｍ
係合突起（３１，３２）：縦５ｃｍ×横１ｃｍ
【００８０】
このブランクの開口部に厚さ５０μｍのエチレン−酢酸ビニル共重合体フィルムをアクリル樹脂エマルジョンの粘着剤を使用して貼り着けた。
これを組立てて包装箱用支持体を二体作製した。
具体的には、外側垂直支持板（２１，２２）、垂直支持板（５１，５２）を折り曲げ、水平支持板（１１）から、略垂直に立ち上げる。その後、内側垂直支持板（２５，２６）を内側（開口１１Ａ側）に折り曲げながら、それぞれの係合突起（３１，３３）をスリット（３２，３４）に挿入して、垂直支持部（２）を形成して、支持体を作製した。
【００８１】
＜実施例３＞
上記実施例１で得た包装箱用支持体二体と、外箱（内寸：縦３４ｃｍ×横４０ｃｍ×高さ１６ｃｍ）と、被包装物（縦３０ｃｍ×横２５ｃｍ×高さ３ｃｍ、質量２．５ｋｇ）とを用いて、包装体を作製した。
すなわち、図９に示すように、外箱（１００）に一方の包装箱用支持体（１Ａ）の弾性シート（１１Ｂ）を上側にして収納し、該弾性シート（１１Ｂ）の上に、被包装物（９０）を載置し、他方の包装箱用支持体（１Ｂ）の弾性シート（１１Ｂ）を下側にして収納して、被包装物（９０）を弾性シート（１１Ｂ）二枚の間に挟んで保持した包装箱とした。
【００８２】
＜実施例４＞
上記実施例２で得た包装箱用支持体二体を用いて、実施例３と同様にして包装箱とした。
【００８３】
＜比較例２＞
上記比較例１で得た包装箱用支持体二体を用いて、実施例３と同様にして包装箱とした。
【００８４】
上記で得られた各包装箱を用いて、以下に示す条件で落下衝撃試験を行った。
＜（水平方向）落下衝撃試験＞
各包装体を、ＪＩＳ  Ｚ  ０２００に記載の包装貨物−評価試験方法通則、レベルＩ（総重量１０ｋｇ未満に該当）に基づいて、落下高さ８０ｃｍ、外箱の底面（着地面）が水平になるように、１〜５回自由落下させて、着地時の最大加速度をそれぞれ測定した。
その結果を図１２に示す。
【００８５】
＜（側面方向）落下衝撃試験＞
各包装体を、ＪＩＳ  Ｚ  ０２００に記載の包装貨物−評価試験方法通則、レベルＩ（総重量１０ｋｇ未満に該当）に基づいて、落下方向を外箱の右側面（着地面）が水平になるように、上記＜（水平方向）落下衝撃試験＞と同様に自由落下させ、着地時の最大加速度をそれぞれ測定した。
その結果を図１３に示す。
【００８６】
図１２および図１３から明らかなように、本発明の包装箱用支持体を備える包装箱は、従来の包装箱用支持体を備える包装箱に対して、本発明の包装箱用支持体の強度が向上しているため、最大加速度が著しく低下し、被包装物をより安全かつより確実に保持できた。
【００８７】
なお、着地時の最大加速度の測定は、東芝ミゼットＧメータ（型番ＫＧ−８０６、東芝（株）製）を用いて行った。
【図面の簡単な説明】
【００８８】
【図１】本発明のブランク（Ｉ）の展開図である。
【図２】弾性材料のシートを張り渡した本発明のブランク（Ｉ）を組立てて作製した本発明の包装箱用支持体の斜視図である。
【図３】好ましい本発明のブランク（Ｉ）の展開図である。
【図４】弾性材料のシートを張り渡した好ましい本発明のブランク（Ｉ）を組立てて作製した本発明の包装箱用支持体の斜視図である。
【図５】本発明のブランク（ＩＩ）の展開図である。
【図６】弾性材料のシートを張り渡した本発明のブランク（ＩＩ）を組立てて作製した本発明の包装箱用支持体の斜視図である。
【図７】好ましい本発明のブランク（ＩＩ）の展開図である。
【図８】弾性材料のシートを張り渡した好ましい本発明のブランク（ＩＩ）を組立てて作製した本発明の包装箱用支持体の斜視図である。
【図９】好ましい本発明のブランク（Ｉ）を組立てて作製した本発明の包装箱用支持体を用いた包装箱の構成の一例を示す図である。
【図１０】好ましい本発明のブランク（ＩＩ）を組立てて作製した本発明の包装箱用支持体を用いた包装箱の構成の一例を示す図である。
【図１１】比較例１で用いる包装箱用支持体のブランクの展開図である。
【図１２】（水平方向）落下衝撃試験の最大加速度を示すグラフである。
【図１３】（側面方向）落下衝撃試験の最大加速度を示すグラフである。
【図１４】従来のハンモック包装に一般に使用される組立て式支持体を示す図であって、図１４Ａはその展開図、図１４Ｂはその組立て後の支持体の斜視図である。
【図１５】従来のハンモック包装に一般に使用される箱式支持体を示す図であって、図１５Ａはその展開図、図１５Ｂはその組立て後の支持体の斜視図である。
【符号の説明】
【００８９】
１，１Ａ，１Ｂ  包装箱用支持体
１１  水平支持板
１１Ａ  開口
１１Ｂ  弾性シート
２，５  垂直支持部
２１，２２，６１，６２  外側垂直支持板
２３，２４  水平板
２５，２６，６３，６４  内側垂直支持板
２７，２８  水平補強板
５１，５２  垂直支持板
３１，３３，５５，５６，６５，６６  係合突起
３２，３４  スリット
３５，３６  係止片
５３，５４  保持板
９０  被包装物
１００  外箱
【図１】
2005132392.tif 000003
【図２】
2005132392.tif 000004
【図３】
2005132392.tif 000005
【図４】
2005132392.tif 000006
【図５】
2005132392.tif 000007
【図６】
2005132392.tif 000008
【図７】
2005132392.tif 000009
【図８】
2005132392.tif 000010
【図９】
2005132392.tif 000011
【図１０】
2005132392.tif 000012
【図１１】
2005132392.tif 000013
【図１２】
2005132392.tif 000014
【図１３】
2005132392.tif 000015
【図１４】
2005132392.tif 000016
【図１５】
2005132392.tif 000017